(57)【要約】【課題】微生物増殖床を万遍に撹拌し、また、長時間運転で撹拌翼の付根でストレスクラックが発生せず折損しない微生物分解便槽を提供する。【解決手段】微生物増殖床１２を撹拌する撹拌翼１６が、便槽の底面に接しながら撹拌する撹拌翼１６ａと、回転軸に対して傾斜して取り付けられた撹拌翼１６ｂと、微生物増殖床１２を回転軸１５の方向に移動・循環させる撹拌翼１６ｃとからなり、上記撹拌翼はボス１５ｂを介して回転軸１５に取り付けられている。上記構成により、微生物増殖床１２は万遍に撹拌され、培養材が固まったり、便槽の内面にこびり付いたりせず、移動・循環・分散して微生物の増殖を活発にして糞尿の分解が旺盛になり、また、撹拌翼を溶接によらずボスを介して取り付けたので、その部分の発錆とストレスクラックに起因する折損をなくすることができた。【選択図】図１
2005152712.tif 000002
【特許請求の範囲】
【請求項１】
微生物増殖床を形成し、この微生物増殖床を加温・保湿・撹拌して糞尿を分解する微生物分解便槽において、上記微生物増殖床を撹拌する撹拌翼が、便槽の底面に接しながら撹拌するものと、撹拌翼の回転軸に対して傾斜して取り付けられることにより微生物増殖床の中間層を撹拌するものと、微生物増殖床を上記回転軸の方向に移動・循環させる撹拌作用をなすものとからなることを特徴とする微生物分解便槽。
【請求項２】
上記撹拌翼は、少なくともボスを介して上記回転軸に取り付けられたことを特徴とする請求項１に記載の微生物分解便槽。
【請求項３】
上記微生物増殖床を回転軸の方向に移動・循環させる撹拌作用をなす上記撹拌翼は、回転軸に対する取り付け角度を調整可能にしたことを特徴とする請求項１または２に記載の微生物分解便槽。
【発明の詳細な説明】
【技術分野】
【０００１】
この発明は微生物増殖床を加温・保湿・撹拌して糞尿を分解・浄化させる微生物分解便槽に関する。
【背景技術】
【０００２】
本出願人は特願２００２−１６４５２１で「微生物増殖床１２を形成し、この微生物増殖床１２を加温・保湿・撹拌して糞尿を分解する微生物分解便槽１０において、上記微生物増殖床１２を撹拌する撹拌翼１６の全部または一部が便槽１１の底面に接して撹拌する撹拌翼１６ａと、残る撹拌翼１６が微生物増殖床１２の中層を撹拌する撹拌翼１６ｂとからなり、上記撹拌翼１６ａの端には可撓性材料からなるスクレイパー２２を取り付けられた」微生物分解便槽（図５、図６参照）を提案した。
【０００３】
上記提案により微生物増殖床全体が万遍に撹拌されるようになり、微生物を着床させた培養材（木質チップ、木質繊維）の加温・保湿・分散状態が均一になって固まることがなく、微生物の増殖を阻害する原因が取り除かれて需要家から一定の評価を得た。
【０００４】
その後、長時間使用経過の過程で、以下のような問題が発生した。
Ａ；微生物増殖床を構成している木質チップや木質繊維等の培養材が便槽内を移動・循環していないので、撹拌翼の撹拌能力が及ぶところと、及ばないところとで加温と保湿状態に差が生じ糞尿の分解状態に差異があること。
Ｂ；撹拌翼を回転軸に直接溶接したため、その部分の金属組織が粗大化して錆びやすくなり、かつ、糞尿中の腐蝕成分の集中攻撃を受けてストレスクラックが生じ撹拌翼の折損に至る場合があること。
【発明の開示】
【発明が解決しようとする課題】
【０００５】
上記に鑑みこの発明は、微生物増殖床を構成する培養材を万遍に撹拌し、かつ、便槽内を移動・循環するようにして微生物増殖床全体の加温・保湿状態を一層良好にし、また、長時間運転においても撹拌翼の折損のない微生物分解便槽を提供することを課題とする。
【課題を解決するための手段】
【０００６】
上記課題を解決するためにこの発明は、微生物増殖床を形成し、この微生物増殖床を加温・保湿・撹拌して糞尿を分解する微生物分解便槽において、上記微生物増殖床を撹拌する撹拌翼が、便槽の底面に接しながら撹拌するものと、撹拌翼の回転軸に対して傾斜して取り付けられることにより微生物増殖床の中間層を撹拌するものと、微生物増殖床を上記回転軸の方向に移動・循環させる撹拌作用をなすものとからなり、上記撹拌翼は、少なくともボスを介して上記回転軸に取り付けられ、上記微生物増殖床を回転軸の方向に移動・循環させる撹拌作用をなす上記撹拌翼は、回転軸に対する取り付け角度を調整可能にした構成を採用したものである。
【発明の効果】
【０００７】
上記の如く構成するこの発明によれば、便槽の底面に接して回転する撹拌翼により培養材の便槽内面へのこびり付きを防止し、回転軸に対して傾斜して取り付けられた撹拌翼により中層のいずれの部分にも撹拌力が伝播するようになり、推力が働くように、かつ、その角度を調節可能に取り付けた撹拌翼により培養材が最適状態で移動・循環しながら撹拌されて加温・保湿・分散状態が一層良好になり、さらに、撹拌翼を回転軸に直接溶接するのを止めてボスを介在させて取り付けるようにしたので、溶接による金属組織の粗大化と発錆がなくなり、かつ、発錆部分への糞尿中の腐蝕成分による集中攻撃がなくなりストレスクラックに起因する撹拌翼の折損問題が解決した。
【発明を実施するための最良の形態】
【０００８】
次に、この発明の実施形態を図１乃至図４を参照しながら説明する。便槽１１内には微生物を着床させた木質チップ、木質繊維（微生物培養材）などを投入した微生物増殖床１２が形成され、便槽１１の底部外側にはヒーター１３が配設され、そりまわりに水槽１４が形成されている。
【０００９】
便槽１１内には、矢印の方向（互いに外から内向き）に回転する回転軸１５にボス１５ｂを介して、便槽１１の底面に回転端が接するように取り付けた撹拌翼１６ａ、回転軸１５に対し傾斜して取り付けた撹拌翼１６ｂ、微生物増殖床１２を構成する培養材を移動・循環させる働きをする（少なくとも両端が逆に捻られている）撹拌翼１６ｃがそれぞれ取り付けられ撹拌翼１６ａの回転端には可撓性材料からなるスクレイパー２２が取り付けられている。
【００１０】
上記スクレイパー２２を取り付けた撹拌翼１６ａは、便槽１１の底面に培養材がこびり付かないように作用し、撹拌翼１６ｂは、回転軸１５に対して傾斜して取り付けられて微生物増殖床１２の中層全体に亘って撹拌し、撹拌翼１６ｃは、推力が働くようになっていて培養材を便槽１１内で移動・循環させるので培養材の加温・保湿・分散が均等になって微生物による糞尿の分解が活発になる。
【００１１】
上記撹拌翼１６を取り付けた回転軸１５には、シーブ２０が取り付けられ、このシーブ２０にケーブルワイヤー１８を巻き付けて固定し、その延長は中間シーブ１９，１９を経由してペダル１７の揺動端に固定されてペダル１７を踏むと回転軸１５とともに撹拌翼１６が回転し微生物増殖床１２が万遍に撹拌される。
【００１２】
水槽１４からは、便器洗浄用の配管２３と微生物増殖床１２の保湿のための給水管２４がポンプＰ１，Ｐ２を介して延びている。
【００１３】
図２（図１の矢視図）に見られるように、ペダル１７から延びたケーブルワイヤー１８はシーブ２０、歯車機構２１を介して左右の回転軸を回す。また、便槽１１の断面は、撹拌翼１６ａの回転奇跡に沿った形状をしてスクレイパー２２によって便槽１１の内面に培養材がこびり付かないようになっている。
【００１４】
便槽１１の底面の外側にはヒーター１３が取り付けられ微生物増殖床１２を５０℃〜８０℃に加温するようになっている。
【００１５】
図４は、本発明の微生物分解便槽１０を装備した仮設便所で、天井にソーラー発電板２６が配置され、発電された電力は図示しないバッテリーに蓄電され夜間の室内照明などに使用される。
【図面の簡単な説明】
【００１６】
【図１】この発明に係る便槽の縦断面図
【図２】図１の矢視図
【図３】この発明に係る便槽の斜視図
【図４】この発明に係る便槽を装備した仮設便所の構造図
【図５】従来技術に係る便槽の縦断面図
【図６】図５の矢視図
【符号の説明】
【００１７】
１０  微生物分解便槽
１１  便槽
１２  微生物増殖床
１３  ヒーター
１４  水槽
１５  回転軸
１６  撹拌翼
１６ａ  スクレイパー付き撹拌翼
１６ｂ  回転軸に対し傾斜した撹拌翼
１６ｃ  培養材を移動・循環させる撹拌翼
１７  ペダル
１８  ケーブルワイヤー
１９  中間シーブ
２０  駆動シーブ
２１  歯車機構
２２  スクレイパー
２３  配管
２４  給水管
２５  仮設便所
２６  ソーラー発電板
【図１】
2005152712.tif 000003
【図２】
2005152712.tif 000004
【図３】
2005152712.tif 000005
【図４】
2005152712.tif 000006
【図５】
2005152712.tif 000007
【図６】
2005152712.tif 000008